(57)【要約】      （修正有）【課題】歩行運動によってお尻からウエスト回りにかけて十分にシェイプアップすることができる身体鍛錬具を提供する。【解決手段】基台２と、基台２上に前後に離間して設けられると共に支軸３を介して回動自在に設けられ支軸３から左右方向に平行に延びる前後一対の回動フレーム４ａ、４ｂと、回動フレーム４ａ、４ｂ間に一対平行に掛け渡して設けられると共に回動フレーム４ａ、４ｂに軸支されて回動フレーム４ａ、４ｂと共に平行リンクを構成する左右一対のサイドフレームと、サイドフレームに設けられ人体の足等を乗せるためのパット６ａ、６ｂと、回動フレーム４ａ、４ｂに設けられ回動フレーム４ａ、４ｂの回動に抵抗してパット６ａ、６ｂ上の足等の歩行運動に負荷をかける負荷手段７とを備えたものである。【選択図】図１
0003165782.tif 000002
【実用新案登録請求の範囲】
【請求項１】
基台と、該基台上に前後に離間して設けられると共に支軸を介して回動自在に設けられ支軸から左右方向に平行に延びる前後一対の回動フレームと、これら両回動フレーム間に一対平行に掛け渡して設けられると共に両回動フレームに軸支されて両回動フレームと共に平行リンクを構成する左右一対のサイドフレームと、これらサイドフレームのそれぞれに設けられ人体の足又は膝を乗せるためのパットと、前記回動フレームに設けられ回動フレームの回動に抵抗してパット上に乗せた足又は膝の歩行運動に負荷をかけるための負荷手段とを備えたことを特徴とする身体鍛錬具。
【請求項２】
前記負荷手段が、前記回動フレームのそれぞれに固定して設けられる前後一組のフックと、これら前後一組のフックに掛け渡して設けられるゴムバンド又はバネとを備え、少なくとも一方のフックが他方のフック側に延びて形成されて前記ゴムバンド又はバネの長さが前記回動フレーム間の間隔より短く形成された請求項１記載の身体鍛錬具。
【請求項３】
前記負荷手段を複数備え、負荷手段の前記フックに掛け渡すゴムバンド又はバネの数を調節することで前記負荷を調節するように形成された請求項２記載の身体鍛錬具。
【請求項４】
前記パットは後側より前側が高くなるように傾斜された請求項１〜３のいずれかに記載の身体鍛錬具。
【請求項５】
前記回動フレームを軸支する支軸は、下方から上方に向かうにつれて斜め後方に傾斜された請求項１〜４のいずれかに記載の身体鍛錬具。
【請求項６】
前記基台は、前後方向に延びる主フレームと、該主フレームの前後両端に設けられ前記パットの回動軌跡の外周端に沿って延びる円弧フレームとを備える請求項１〜５のいずれかに記載の身体鍛錬具。
【考案の詳細な説明】
【技術分野】
【０００１】
本考案は、歩行運動によってお尻からウエスト回りにかけてシェイプアップする身体鍛錬具に関するものである。
【背景技術】
【０００２】
歩行運動ができる身体鍛錬具は、種々のものが知られている。これらの身体鍛錬具は、日常で行う歩行運動によってシェイプアップを図るため、運動が苦手な人でもなじみ易く、誰もが容易に運動できるという点で優れている。
【先行技術文献】
【特許文献】
【０００３】
【特許文献１】実用新案登録第３１４７５１４号公報
【考案の概要】
【考案が解決しようとする課題】
【０００４】
しかしながら、従来の身体鍛錬具で行う歩行運動は、足を前後に動かすだけであるため、お尻からウエスト回りにかけて十分にシェイプアップすることは難しいという課題があった。
【０００５】
そこで、本考案の目的は、上記課題を解決し、歩行運動によってお尻からウエスト回りにかけて十分にシェイプアップすることができる身体鍛錬具を提供することにある。
【課題を解決するための手段】
【０００６】
上記課題を解決するために本考案は、基台と、該基台上に前後に離間して設けられると共に支軸を介して回動自在に設けられ支軸から左右方向に平行に延びる前後一対の回動フレームと、これら両回動フレーム間に一対平行に掛け渡して設けられると共に両回動フレームに軸支されて両回動フレームと共に平行リンクを構成する左右一対のサイドフレームと、これらサイドフレームのそれぞれに設けられ人体の足又は膝を乗せるためのパットと、前記回動フレームに設けられ回動フレームの回動に抵抗してパット上に乗せた足又は膝の歩行運動に負荷をかけるための負荷手段とを備えたものである。
【０００７】
前記負荷手段が、前記回動フレームのそれぞれに固定して設けられる前後一組のフックと、これら前後一組のフックに掛け渡して設けられるゴムバンド又はバネとを備え、少なくとも一方のフックが他方のフック側に延びて形成されて前記ゴムバンド又はバネの長さが前記回動フレーム間の間隔より短く形成されるとよい。
【０００８】
また、前記負荷手段を複数備え、負荷手段の前記フックに掛け渡すゴムバンド又はバネの数を調節することで前記負荷を調節するように形成されるとよい。
【０００９】
前記パットは後側より前側が高くなるように傾斜されるとよい。
【００１０】
前記回動フレームを軸支する支軸は、下方から上方に向かうにつれて斜め後方に傾斜されるとよい。
【００１１】
また、前記基台は、前後方向に延びる主フレームと、該主フレームの前後両端に設けられ前記パットの回動軌跡の外周端に沿って延びる円弧フレームとを備えるとよい。
【考案の効果】
【００１２】
本考案によれば、歩行運動によってお尻からウエスト回りにかけて十分にシェイプアップすることができる。
【図面の簡単な説明】
【００１３】
【図１】本考案に係る身体鍛錬具を上方かつ後方から視た斜視図である。
【図２】図１の平面図である。
【図３】使用状態を示す身体鍛錬具の平面図である。
【図４】図２の底面図である。
【図５】図２の左側面図である。
【図６】図２の前面図である。
【図７】図２の後面図である。
【図８】使用状態を示す身体鍛錬具の斜視図である。
【図９】身体鍛錬具の分解図である。
【図１０】下方から視た身体鍛錬具の負荷手段の説明図であり、（ａ）は負荷手段に使用者から力が作用していない状態を示し、（ｂ）は負荷手段に使用者から力が作用している状態を示す。
【考案を実施するための形態】
【００１４】
図１、図２及び図４に示すように、身体鍛錬具１は、基台２と、基台２上に前後に離間して設けられると共に支軸３を介して回動自在に設けられ支軸３から左右方向に平行に延びる前後一対の回動フレーム４ａ、４ｂと、これら両回動フレーム４ａ、４ｂ間に一対平行に掛け渡して設けられると共に両回動フレーム４ａ、４ｂに軸支される左右一対のサイドフレーム５ａ、５ｂと、これらサイドフレーム５ａ、５ｂのそれぞれに設けられ人体の足又は膝を乗せるためのパット６ａ、６ｂと、回動フレーム４ａ、４ｂに設けられ回動フレーム４ａ、４ｂの回動に抵抗してパット６ａ、６ｂ上に乗せた足又は膝の歩行運動に負荷をかけるための負荷手段７と、回動フレーム４ａ、４ｂの回動回数をカウントすると共に使用者の運動量を表示するカウンタ８とを備える。
【００１５】
基台２は、前後方向に延びる主フレーム９と、主フレーム９の前後両端に設けられパット６ａ、６ｂの回動軌跡の外周端に沿って延びる円弧フレーム１０ａ、１０ｂとを備える。図４及び図９に示すように、主フレーム９は断面長円形に形成された金属製（アルミ、ジュラルミン等の軽金属製）の扁平丸パイプからなる。円弧フレーム１０ａ、１０ｂは、周方向の中央部に主フレーム９の端部を挿入する接続部１１を有する。接続部１１は、主フレーム９の端部に図示しないボルトを介して脱着可能に取り付けられるようになっている。また、円弧フレーム１０ａ、１０ｂには、周方向に複数の支持脚１２が設けられている。支持脚１２は、樹脂等の軟質材からなり、身体鍛錬具１を載置した床等が傷つかないようにすると共に、身体鍛錬具１の振動を吸収するようになっている。図５、図６及び図７に示すように、前側の円弧フレーム１０ａは、後側の円弧フレーム１０ｂより上下方向に厚く形成されており、身体鍛錬具１を水平な床上に載置したとき、主フレーム９の前側が後側より高くなるように主フレーム９を傾斜させるようになっている。
【００１６】
図８に示すように、基台２には、後述する回動フレーム４ａ、４ｂの回動範囲を規制するためのストッパ１３が設けられている。ストッパ１３は、主フレーム９の後部に上方に突出して設けられた突起からなり、後側の回動フレーム４ｂに干渉してその回動範囲を規制するようになっている。
【００１７】
図４及び図９に示すように、回動フレーム４ａ、４ｂは、断面長円形に形成された金属製（アルミ、ジュラルミン等の軽金属製）の扁平丸パイプからなる。回動フレーム４ａ、４ｂの両端には、その端部を覆う樹脂製の端末部材１４が取り付けられている。回動フレーム４ａ、４ｂは、後述するパット６ａ、６ｂの前後の可動範囲（使用者の歩幅）が人間の腰幅程度となるように長さを設定されており、使用者が自然な動きで歩行運動できるようになっている。また、回動フレーム４ａ、４ｂの左右方向の中央には、支軸３が一体に取り付けられている。支軸３は基台２の主フレーム９に回動自在に支持されており、回動フレーム４ａ、４ｂを上下に延びる軸回りに回動自在に支持するようになっている。また、支軸３は、主フレーム９が上述のように傾斜されることで下方から上方に向かうにつれて斜め後方に傾斜されるようになっており、回動フレーム４ａ、４ｂを傾斜した軸回りに回動させるようになっている。
【００１８】
サイドフレーム５ａ、５ｂは、断面矩形の矩形パイプからなる。サイドフレーム５ａ、５ｂの前後両端には、下方に延びる連結軸１５が設けられている。前側の連結軸１５は、前側の回動フレーム４ａに回動自在に軸支されており、後側の連結軸１５は、後側の回動フレーム４ｂに回動自在に軸支されており、サイドフレーム５ａ、５ｂは、前後の連結軸１５を介して前後の回動フレーム４ａ、４ｂに回動自在に連結されるようになっている。
【００１９】
また、前後の回動フレーム４ａ、４ｂと左右のサイドフレーム５ａ、５ｂは平行リンクを構成しており、前後の回動フレーム４ａ、４ｂは常に互いに平行な姿勢を維持しつつ支軸３を中心として回動し、左右のサイドフレーム５ａ、５ｂは常に前後に延びる同じ姿勢を維持しつつ弧状の軌跡で前後に移動するようになっている。
【００２０】
図５、図６及び図７に示すように、パット６ａ、６ｂは後側より前側が高くなるように傾斜されており、パット６ａ、６ｂ上の足等が前方へ移動するとき、その力を効率よく受けるようになっている。
【００２１】
図４、図９及び図１０（ａ）に示すように、負荷手段７は、前後の回動フレーム４ａ、４ｂのそれぞれに固定して設けられる前後一組のフック１６ａ、１６ｂと、これら前後一組のフック１６ａ、１６ｂに掛け渡して設けられるゴムバンド１７とを備えて構成される。前後一組のフック１６ａ、１６ｂは、それぞれ他方のフック１６ｂ、１６ａ側に延びて形成されている。すなわち、前側のフック１６ａは前側の回動フレーム４ａから後方に延びて形成されており、後側のフック１６ｂは後側の回動フレーム４ｂから前方に延びて形成されている。ゴムバンド１７は、前後に延びる伸縮部１８と、伸縮部１８の両端に設けられフック１６ａ、１６ｂに掛けるためのリング部１９とを備える。ゴムバンド１７は、前後のフック１６ａ、１６ｂ間に若干伸張した状態で掛け渡されており、前後の回動フレーム４ａ、４ｂ間の間隔よりも短く形成されている。また、身体鍛錬具１は、複数の負荷手段７を備え、前後のフック１６ａ、１６ｂに掛け渡すゴムバンド１７の数を調節することで負荷を調節するようになっている。
【００２２】
また、負荷手段７の上方の回動フレーム４ａ、４ｂには、負荷手段７のゴムバンド１７を覆うカバー２０が設けられている。カバー２０は、ゴムバンド１７が万一切れた場合でもゴムバンド１７が使用者に向かって飛ばないようにするためのものであり、平面視略半円形の板状に形成されている。
【００２３】
図３及び図５に示すように、カウンタ８は、前側の回動フレーム４ａより前方の基台２に設けられた永久磁石２１と、回動フレーム４ａ、４ｂが回動したとき永久磁石２１上を通過するように前側の回動フレーム４ａに設けられたカウンタ本体２２とからなる。カウンタ本体２２は、永久磁石２１上を通過したときの磁気を検出する磁気検出部（図示せず）と、磁気検出部が磁気を検出した回数に基づいて概ねの歩行距離を算出する計算部（図示せず）と、前記回数を歩数として表示すると共に前記計算部で算出した歩行距離を表示する表示部２３とを備える。
【００２４】
次に本実施の形態の作用について述べる。
【００２５】
身体鍛錬具１を使用する場合、まず、鍛錬したい部位に応じて左右のパット６ａ、６ｂ上に使用者の足又は膝等を乗せる。このとき、図１０（ａ）に示すように、負荷手段７の前後一組のフック１６ａ、１６ｂとゴムバンド１７は前後に直線状に延びている。次に、パット６ａ、６ｂ上に乗せた足又は膝を前後に動かす。使用者の力は、パット６ａ、６ｂ及びサイドフレーム５ａ、５ｂを介して前後の回動フレーム４ａ、４ｂに伝わり、図８及び図１０（ｂ）に示すように、これら回動フレーム４ａ、４ｂが支軸３を中心として回動する。このとき、前側の回動フレーム４ａに設けられたフック１６ａと後側の回動フレーム４ｂに設けられたフック１６ｂは互いに離反する方向に傾き、前後のフック１６ａ、１６ｂ間に掛け渡されたゴムバンド１７が伸張される。これにより、前後の回動フレーム４ａ、４ｂにその回動方向とは反対方向の付勢力が作用する。この付勢力は回動フレーム４ａ、４ｂ及びサイドフレーム５ａ、５ｂを介してパット６ａ、６ｂ上の使用者の足又は膝等に伝達され、運動の負荷となる。また、左右のパット６ａ、６ｂは、前後の回動フレーム４ａ、４ｂと左右のサイドフレーム５ａ、５ｂとによって移動を規制されているため、前後に延びる姿勢を維持しつつ円弧状の軌跡で前後に移動する。パット６ａ、６ｂ上に足又は膝を乗せている使用者の左右の足は交互にクロスするように運動をし、所謂モデル歩きとなる。使用者はモデル歩きをすることで、脚の筋肉をしっかりと鍛えながら腰及び骨盤を動かすことができ、お尻からウエスト回りにかけてシェイプアップすることができる。
【００２６】
このように、基台２と、基台２上に前後に離間して設けられると共に支軸３を介して回動自在に設けられ支軸３から左右方向に平行に延びる前後一対の回動フレーム４ａ、４ｂと、これら両回動フレーム４ａ、４ｂ間に一対平行に掛け渡して設けられると共に両回動フレーム４ａ、４ｂに軸支されて両回動フレーム４ａ、４ｂと共に平行リンクを構成する左右一対のサイドフレーム５ａ、５ｂと、これらサイドフレーム５ａ、５ｂのそれぞれに設けられ人体の足又は膝等を乗せるためのパット６ａ、６ｂと、回動フレーム４ａ、４ｂに設けられ回動フレーム４ａ、４ｂの回動に抵抗してパット６ａ、６ｂ上に乗せた足又は膝等の歩行運動に負荷をかけるための負荷手段７とを備えて身体鍛錬具１を構成したため、モデル歩きでのエクササイズを容易にでき、脚の筋肉をしっかりと鍛えながら腰及び骨盤を動かすことができ、お尻からウエスト回りにかけて十分にシェイプアップできる。また、室内の狭いエリアでウォーキングのトレーニングができる。
【００２７】
負荷手段７が、回動フレーム４ａ、４ｂのそれぞれに固定して設けられる前後一組のフック１６ａ、１６ｂと、これら前後一組のフック１６ａ、１６ｂに掛け渡して設けられるゴムバンド１７とを備え、前後一組のフック１６ａ、１６ｂがそれぞれ他方のフック１６ｂ、１６ａ側に延びて形成されてゴムバンド１７の長さが前後の回動フレーム４ａ、４ｂ間の間隔より短く形成されるものとしたため、負荷手段７を簡易な構造で安価に構成できる。
【００２８】
また、身体鍛錬具１が負荷手段７を複数備え、負荷手段７のフック１６ａ、１６ｂに掛け渡すゴムバンド１７の数を調節することで負荷を調節するように形成されるものとしたため、簡易な構造で容易に負荷を調節できる。
【００２９】
パット６ａ、６ｂは後側より前側が高くなるように傾斜されるものとしたため、パット６ａ、６ｂ上の足等が前方へ移動するとき、その力を効率よくパット６ａ、６ｂで受けることができ、自然な感覚で歩行運動ができる。また、使用者が身体鍛錬具１の後方から左右のパット６ａ、６ｂ上に乗るとき、使用者の足又は膝等を安定して受けることができる。
【００３０】
回動フレーム４ａ、４ｂを軸支する支軸３は、下方から上方に向かうにつれて斜め後方に傾斜されるものとしたため、使用者が、パット６ａ、６ｂから受ける負荷を登坂時の負荷のように自然な負荷として知覚でき、自然な感覚で歩行運動ができる。
【００３１】
基台２は、前後方向に延びる主フレーム９と、主フレーム９の前後両端に設けられパット６ａ、６ｂの回動軌跡の外周端に沿って延びる円弧フレーム１０ａ、１０ｂとを備えるものとしたため、パット６ａ、６ｂがいずれの位置にあるときでも使用者を安定して支持でき、安定性を損なうことなく身体鍛錬具１をコンパクトにできる。
【００３２】
なお、フック１６ａ、１６ｂはそれぞれ他方のフック１６ｂ、１６ａ側に延びて形成されるものとしたが、ゴムバンド１７の長さが回動フレーム４ａ、４ｂ間の間隔より短く形成されていればよく、いずれか一方のフック１６ａ、１６ｂのみが他方のフック１６ｂ、１６ａ側に延びるものであってもよい。
【００３３】
また、ゴムバンド１７に代えてコイルバネ等のバネ（図示せず）を用いてもよい。またさらに、伸びやすさの異なる複数種類のゴムバンド１７又はバネを用意し、前後のフック１６ａ、１６ｂ間に掛け渡すゴムバンド１７又はバネの数と種類とを適宜選択することで負荷を調節するものとしてもよい。
【符号の説明】
【００３４】
１  身体鍛錬具
２  基台
３  支軸
４ａ  回動フレーム（前側）
４ｂ  回動フレーム（後側）
５ａ  サイドフレーム（左側）
５ｂ  サイドフレーム（右側）
６ａ  パット（左側）
６ｂ  パット（右側）
７  負荷手段
９  主フレーム
１０ａ  円弧フレーム（前側）
１０ｂ  円弧フレーム（後側）
１６ａ  フック（前側）
１６ｂ  フック（後側）
１７  ゴムバンド
【図１】
0003165782.tif 000003
【図２】
0003165782.tif 000004
【図３】
0003165782.tif 000005
【図４】
0003165782.tif 000006
【図５】
0003165782.tif 000007
【図６】
0003165782.tif 000008
【図７】
0003165782.tif 000009
【図８】
0003165782.tif 000010
【図９】
0003165782.tif 000011
【図１０】
0003165782.tif 000012